(57)【特許請求の範囲】
【請求項１】
互いに対向する２枚の板材間に、両端部がそれぞれ開口する複数の杆状部材の該両端部をそれぞれ接合するに際し、上記両板材の杆状部材との接合箇所にそれぞれ締結孔を穿設すると共に、上記杆状部材の端部開口部は、リベット主体が挿入される挿入部と、これに隣接してこの挿入部と連通する１又は２以上の空隙部とを有するものであり、これら締結孔より上記杆状部材の端部開口部にブラインドリベット主体を挿入し、該リベットの軸部をかしめて、リベット主体の基部フランジ部と、このフランジ部に連接された筒状主部より突出する頭部が該筒状主部内に退入することによって形成される膨出部との押圧力により上記板材と杆状部材とを固着させることを特徴とする部材の接合方法。
【発明の詳細な説明】
【０００１】
【発明の属する技術分野】
本発明は、アルミインテリア建具の紙貼障子格子ユニットにおいてかまちに組子を取り付ける場合など、２枚の板材間に複数の杆状部材を接合する方法に関する。
【０００２】
【従来の技術】
従来、住宅等に用いる障子、ふすま等の建具をアルミニウム等の金属部材によって組み立て、これに紙を貼り付けて作成することが広く行われていた。
【０００３】
この場合、このような金属部材同士を接合する方法としては、ねじ止めによる方法が一般的であり、図５に示したように、例えば障子の作成は、縦かまちａ，ｂ、上かまちｃ、下かまちｄに対し、組子ｅをねじｆによって結合することで、格子ユニットｇを組み立て、これに紙を貼り付ける方法が普通に採用されている。
【０００４】
【発明が解決しようとする課題】
しかしながら、図５に示すように、例えば２本の縦かまちａ，ｂ間に複数個の組子ｅをねじｆによって結合し、架設する場合、ねじ止めの際に加えられる力が回転運動であり、また一方の縦かまちａに組子ｅをねじ止めする場合と他方の縦かまちｂに組子ｅをねじ止めする場合とで回転方向が逆になるので、組子ｅにねじれが生じ、格子ユニットｇの紙貼面にうねりが生じる場合がある。各格子の紙貼面は互いに同一平面にないと、紙をきれいに貼布し難いので、従来はこのように格子ユニットにうねりが生じた場合は、ハンマーやペンチ等で各組子を互いに同一平面になるように一本一本手作業にて強制しているのが現状であり、作業性が悪いという問題があった。
【０００５】
本発明は上記事情を改善するためになされたもので、上記障子、ふすま等のアルミニウム製建具の格子ユニットを組み立てる場合など、２枚の板材間に複数の杆状部材を架け渡す際、ねじれ、うねり等を生じさせることなく、簡単に板材と杆状部材とを接合する方法を提供することを目的とする。
【０００６】
【課題を解決するための手段】
本発明は、上記目的を達成するため、互いに対向する２枚の板材間に、両端部がそれぞれ開口する複数の杆状部材の該両端部をそれぞれ接合するに際し、上記両板材の杆状部材との接合箇所にそれぞれ締結孔を穿設すると共に、上記杆状部材の端部開口部は、リベット主体が挿入される挿入部と、これに隣接してこの挿入部と連通する１又は２以上の空隙部とを有するものであり、これら締結孔より上記杆状部材の端部開口部にブラインドリベット主体を挿入し、該リベットの軸部をかしめて、リベット主体の基部フランジ部と、このフランジ部に連接された筒状主部より突出する頭部が該筒状主部内に退入することによって形成される膨出部との押圧力により上記板材と杆状部材とを固着させることを特徴とする部材の接合方法を提供する。
【０００７】
本発明によれば、板材と杆状部材とは、ブラインドリベットの軸部を引き抜く（かしめる）ことにより、リベット主体基部フランジ部による板材に対する押圧力と、リベット主体の筒状主部内にリベット頭部が退入し、筒状主部が座屈して形成される膨出部による杆状部材の端部開口部の周壁面に対する押圧力とによって、強固に結合、固着する。
【０００８】
この場合、リベット軸部の引き抜き力は、杆状部材の軸方向に作用し、上記フランジ部による板材に対する押圧力も板材面に作用し、杆状部材の軸方向に沿うものであると共に、上記膨出部の押圧力は杆状部材の軸方向に対し直角方向に作用し、杆状部材を回転させ、ねじるような力は作用していないので、障子等の格子ユニットの組み立てに本発明法を適用した場合、格子ユニットにねじれ、うねりを生じさせることがなく、各組子の紙貼布面を互いに同一平面に保って部材の結合を行うことができるものである。
【０００９】
また、本発明の方法は、ブラインドリベットのリベット主体を板材の締結孔より杆状部材の端部開口部に挿入し、リベット軸部を引き抜く（かしめる）だけでよいので、板材と杆状部材との結合がいわばワンタッチで行われ、しかも結合後にねじれ、うねり等を修正する必要もないので、作業性がよく、作業能率が高いものである。
【００１０】
本発明においては、上記杆状部材の端部開口部が、上記リベット主体が挿入される挿入部に隣接してこの挿入部と連通する１又は２以上の空隙部を有する。
【００１１】
即ち、杆状部材の端部開口部がリベット主体が挿入される挿入部が形成されているだけの場合は、上記膨出部により端部開口部の全周壁面が押圧されて、杆状部材の端部外周面も膨出する場合がある。これは、特に障子等の格子ユニットを形成し、紙を貼布する場合に、組子の紙貼布面が互いに同一平面にあっても、該貼布面が大きく膨らんでしまうことは、紙の貼布に不利に働く。しかし、上記のように上記挿入部に隣接、連通して空隙部を形成し、逃げを設けるようにすれば、該空隙部に対向する上記杆状部材の端部外周面部分の膨出を抑制することができ、特に上述したような組子に対しては、その紙貼布面側に該紙貼布面と対向するように空隙部を設けることにより、紙貼布面の膨らみを抑えることができる。
【００１２】
なお、本発明において、上記板材、杆状部材の材質は必ずしも制限されないが、アルミニウム、スチール等の金属製のものに対して本発明は有効である。
【００１３】
【発明の実施の形態及び実施例】
以下、本発明の実施例について図１乃至図４を参照して説明する。
【００１４】
図１は、アルミインテリア建具の紙貼障子格子ユニットの概略を示すもので、図中１は縦かまち（板材）、２はこの縦かまち１に結合、横架された複数（図１においては３本）の組子（杆状部材）であり、これら組子２の紙貼布面２ａに障子紙３が貼布されたものである。
【００１５】
上記縦かまち１は、板状に形成されており、上記組子２との結合箇所には後述するブラインドリベット４のリベット主体４１外径に相応する締結孔１１が穿設されている。また、上記組子２は略四角筒状に形成され、紙貼布面２ａは平坦に形成されており、組子２の両端開口部２１は、図２に示したようにリベット主体４１が挿入される円形状の挿入部２２と、この挿入部２２に隣接、連通して上記紙貼布面２ａ側に形成され、一辺が紙貼布面２ａに対向するように形成された略三角形状乃至は台形状のひれ状空隙部２３と、上記挿入部２２に隣接、連通して上記ひれ状空隙部２３とは反対側に形成された矩形状空隙部２４とからなる形状を有する。この場合、上記円形状挿入部２２とひれ状空隙部２３、矩形状空隙部２４との連通部は、挿入部２２の直径より狭く形成されている。
【００１６】
上記縦かまち１に組子２を結合する場合は、図３に示したように、縦かまち１の締結孔１１と組子２の開口部２１とを対応させ、締結孔１１からブラインドリベット４のリベット主体４１を開口部２１の挿入部２２に挿入する。
【００１７】
ここで、ブラインドリベット４は、円筒状主部４２の基端外周縁にリング状フランジ部４３が一体に突設されてなるリベット主体４１と、上記主部４２内に挿入されるリベット軸部４４とを備えたもので、軸部４４の基部側は上記リベット主体４１より外方に突出し、また先端部には上記主部４２の先端部より外方に突出し、主部４２内径より若干大径の頭部４５を有するもので、軸部４４と頭部４５との連接部にはくびれ部４６が形成されている。
【００１８】
従って、リベット主体４１を締結孔１１より挿入部２２に挿入した場合、リベット主体４１のフランジ部４３内面がかまち１外面に当接し、リベット軸部４４の基部側がかまち１の外方に突出している状態となる。
【００１９】
この状態で適宜な締結工具を用いてフランジ部４３を押さえながらリベット軸部４４を引き抜く（かしめる）ことにより、図４に示したように、リベット軸部４４先端の頭部４５が主部４２内に退入し、主部４２を座屈させるように作用し、頭部４４が主部４２を径方向に膨出させると共に、頭部４５がリベット軸部４４先端からくびれ部４６において引きちぎられ、頭部４５が主部４２内に保持され、リベット軸部４４はリベット主体４１から引き出される。
【００２０】
これにより、かまち１と組子２とは、フランジ部４３がかまち１外面を押圧する一方、頭部４５が主部４２を径方向に膨出させることにより形成される膨出部４７が組子２の開口部２１内周面を押圧することによって、強固に結合、固着されるものである。
【００２１】
このようにして、上記縦かまち１に対し、複数個（図１では３個）の組子２の一方の端部を順次結合すると共に、図１では示していないが、図５に示したように一方の縦かまち１に対向配設された他方の縦かまちに対しても組子２の他方の端部を同様にして結合するものである。また、例えば図５に示したような格子ユニットにおいては、上下のかまちに対して上記と同様にして組子を図中上下方向に沿って配置、結合する。
【００２２】
上記した結合方法によれば、その結合力は組子２の長さ方向及び径方向に作用しているのみで、組子２を回転させ或いはねじるような力は作用していないので、かまち１に複数の組子２を結合した際、その紙貼布面２ａの面方向が不一致になり難く、互いに同一平面を保持して結合される。
【００２３】
また、上述した結合方法において、組子２の開口部２１は、挿入部２２に連通してその両側に空隙部２３、２４が形成されており、この場合特に紙貼布面２ａ側にひれ状空隙部２３が設けられているので、リベット軸部４４の頭部４５が主部４２内に退入し、主部４２を膨出させた場合において、頭部４５によるひれ状空隙部２３方向にかかる押圧力は、この空隙部２３を押し潰すように作用し、従って空隙部２３の緩衝で紙貼布面２ａに直接作用する押圧力が軽減し、紙貼布面２ａが大きく膨らむことが防止されて、紙貼布面２ａが実質的に平坦性を維持する。
【００２４】
それ故、紙貼布面２ａに障子紙をきれいに貼布し得るものである。
【００２５】
なお、上記実施例においては、アルミインテリア建具の紙貼障子格子ユニットを組み立てる場合について説明したが、本発明による結合方法は、これに限られるものではなく、２枚の板材に対し、筒状等の少なくとも両端部が開口する杆状部材を複数本結合し、これら板材間に架け渡す場合の部材の結合に有効に適用することができ、また板材、杆状部材の材質もアルミニウムに限定されるものではなく、スチール等のその他の金属であっても、場合によってはプラスチック材料であってもよく、勿論板材と杆状部材とが異なる材質であってもよい。
【００２６】
また、上記実施例では、組子（杆状部材）の開口部をリベット主部が挿入される挿入部と、２個の空隙部とを有するようにしたが、空隙部の形状は特に限定されるものではなく、要は組子の紙貼布面等、頭部による押圧力を逃がし、緩衝して、所用の面が膨出することを防止し得るような形状であればよいが、図示したようなひれ状の形状が当該空隙部を容易に押し潰し得る点から好適である。更に、空隙部の数も制限されない。
【００２７】
更に、その他の構成も本発明の要旨を逸脱しない範囲で種々変更して差し支えない。
【００２８】
【発明の効果】
本発明によれば、２枚の板材と複数の杆状部材とをねじれ、うねりを生じさせることなく、簡単にしかも強固に結合することができる。
【図面の簡単な説明】
【図１】本発明の結合方法が適用されたアルミインテリア建具紙貼障子格子ユニットの一例を示す概略断面図である。
【図２】同ユニットの組子の拡大断面図である。
【図３】同ユニットにおいて、縦かまちの締結孔を通して組子開口部にブラインドリベットのリベット主体を挿入した状態を示し、（Ａ）は縦断面図、（Ｂ）は（Ａ）図のＸ−Ｘ線に沿った断面図である。
【図４】同ユニットにおいて、縦かまちと組子とを結合した状態を示し、（Ａ）は縦断面図、（Ｂ）は（Ａ）図のＹ−Ｙ線に沿った断面図である。
【図５】従来のねじ止めによる紙貼障子ユニットを説明する側面図である。
【符号の説明】
１  縦かまち（板材）
２  組子（杆状部材）
２ａ  紙貼布面
３  障子紙
４  ブラインドリベット
１１  締結孔
２１  開口部
２２  挿入部
２３  空隙部
２４  空隙部
４１  リベット主体
４２  主部
４３  フランジ部
４４  軸部
４５  頭部
４６  くびれ部
４７  膨出部
【図１】
0004450115.tif 000002
【図２】
0004450115.tif 000003
【図３】
0004450115.tif 000004
【図４】
0004450115.tif 000005
【図５】
0004450115.tif 000006